(57)【要約】【課題】内蓋を閉める操作をするときにドラム蓋と該内蓋との双方を閉めることができるようにする。【解決手段】内蓋１０は水槽の開口部を開閉するように設けられており、これには、機構部２５が設けられている。この機構部２５において、操作部材２６が矢印Ｅ方向へ操作（内蓋開放のための操作）されると、ドラム蓋ロック手段１９のロックが解除されてドラム蓋１６が開放すると共に、内蓋ロック手段１３のロックが解除されて内蓋１０が開放する。【選択図】  図１
2004329537.tif 000002
【特許請求の範囲】
【請求項１】
外箱内に配設された水槽と、
この水槽内にほぼ水平方向に指向する軸を中心に回転可能に配設されたドラムと、
このドラムの胴部に、当該胴部に形成された開口部を開閉するように設けられたドラム蓋と、
前記水槽の上部に、当該水槽に形成された開口部を開閉するように設けられた内蓋とを備えたものにおいて、
前記内蓋に対する閉塞操作に基づいて前記ドラム蓋及び該内蓋を閉める構成としたことを特徴とするドラム式洗濯機。
【請求項２】
内蓋とドラム蓋とにおいて摺動する部分の一方の摺動面にレール部を設けたことを特徴とする請求項１記載のドラム式洗濯機。
【請求項３】
内蓋を閉塞するときに該内蓋の特定箇所を操作することによりドラム蓋が閉塞される構成であることを特徴とする請求項１記載のドラム式洗濯機。
【請求項４】
内蓋の特定箇所の操作に連動する押し部材が備えられ、この押し部材によりドラム蓋が閉塞されることを特徴とする請求項３記載のドラム式洗濯機。
【請求項５】
内蓋の特定箇所に対して異なる操作をすることによりドラム蓋が開放される構成であることを特徴とする請求項３記載のドラム式洗濯機
【請求項６】
押し部材は複数あることを特徴とする請求項４記載のドラム式洗濯機。
【請求項７】
ドラム蓋の閉塞をロックするドラム蓋ロック手段を備え、内蓋の特定箇所の操作によりドラム蓋がロックされる構成であることを特徴とする請求項３記載のドラム式洗濯機。
【請求項８】
内蓋の特定箇所の操作を検知する検知手段を設けたことを特徴とする請求項３記載のドラム式洗濯機。
【請求項９】
内蓋を閉塞するときにドラム蓋が先に閉まってから該内蓋が閉まり、内蓋をあけるときにはドラム蓋が開いてから該内蓋が開く構成であることを特徴とする請求項１記載のドラム式洗濯機。
【請求項１０】
外箱内に配設された水槽と、
この水槽内にほぼ水平方向に指向する軸を中心に回転可能に配設されたドラムと、
このドラムの胴部に、当該胴部に形成された開口部を開閉するように設けられたドラム蓋と、
前記水槽の上部に、当該水槽に形成された開口部を開閉するように設けられた内蓋と、
この内蓋の閉塞をロックする内蓋ロック手段とを備え、
この内蓋ロック手段がロック状態でないときには該内蓋が開放する構成としたことを特徴とするドラム式洗濯機。
【発明の詳細な説明】
【０００１】
【発明の属する技術分野】
本発明は、ドラムを収容する水槽の上部に内蓋を有するいわゆるトップオープンタイプのドラム式洗濯機に関する。
【０００２】
【従来の技術】
従来、この種のドラム式洗濯機には、外箱内に配設された水槽の内部に、ほぼ水平方向に指向する軸を中心に回転可能にドラムを設け、このドラムの胴部に、当該胴部に形成された開口部を開閉するようドラム蓋を設け、前記水槽の上部に、当該水槽に形成された開口部を開閉するように内蓋を設けた構成としたものがある。そして、上記ドラム蓋はドラムの胴部に沿ってスライドにより開口部を開閉し、また内蓋は一端が回動可能に設けられて上下回動により開口部を開閉する構成としている（例えば特許文献１）
【０００３】
【特許文献１】
特表２００２−５２９１７３号公報
【０００４】
【発明が解決しようとする課題】
しかしながら、上記構成のものでは、ドラム蓋及び内蓋を閉める場合に、ドラム蓋を閉める操作をし、その上で、内蓋を閉める操作を行なわなければならず、操作が面倒である。また、ドラム蓋を閉め忘れた場合でも、内蓋は閉塞できるため、ドラム蓋を閉め忘れるおそれがあった。
【０００５】
本発明は上記事情に鑑みてなされたものであり、その目的は、内蓋を閉める操作をするときにドラム蓋と該内蓋との双方を閉めることができるドラム式洗濯機を提供するにある。
【０００６】
【課題を解決するための手段】
請求項１の発明は、外箱内に配設された水槽と、
この水槽内にほぼ水平方向に指向する軸を中心に回転可能に配設されたドラムと、
このドラムの胴部に、当該胴部に形成された開口部を開閉するように設けられたドラム蓋と、
前記水槽の上部に、当該水槽に形成された開口部を開閉するように設けられた内蓋とを備えたものにおいて、
前記内蓋に対する閉塞操作に基づいて前記ドラム蓋及び該内蓋を閉める構成としたところに特徴を有する。
【０００７】
これによれば、内蓋を閉める操作を行なえば、ドラム蓋と内蓋との双方を閉めることができて、蓋閉塞動作が一回で済むと共に、ドラム蓋を閉め忘れたまま内蓋を閉めてしまうことがない。
【０００８】
請求項２の発明は、内蓋とドラム蓋とにおいて摺動する部分の一方の摺動面にレール部を設けたところに特徴を有する。これによれば、ドラム蓋と内蓋との摺動面が傷つくことがないと共に、ドラム蓋と内蓋との摺動抵抗を小さくできる。
【０００９】
請求項３の発明は、内蓋を閉塞するときに該内蓋の特定箇所を操作することによりドラム蓋が閉塞される構成であるところに特徴を有する。これによれば、ドラム蓋の閉塞を内蓋側で行なうことができる。この場合、内蓋の特定箇所の操作に連動する押し部材によりドラム蓋が閉塞されるようにしても良い（請求項４の発明）。
【００１０】
請求項５の発明は、内蓋の特定箇所に対して異なる操作をすることによりドラム蓋が開放される構成としたところに特徴を有する。これによれば、内蓋の特定箇所がドラム蓋の閉塞と開放との共通の操作部として使用できる。
【００１１】
請求項６の発明は、押し部材を複数設けたところに特徴を有する。これによれば、ドラム蓋を閉塞するときに複数の押し部材で閉塞させるから、閉塞力が一箇所に集中することがない。
【００１２】
請求項７の発明は、ドラム蓋の閉塞をロックするドラム蓋ロック手段を備え、内蓋の特定箇所の操作によりドラム蓋がロックされる構成であるところに特徴を有する。これによれば、内蓋側での操作によりドラム蓋のロックができる。
【００１３】
請求項８の発明は、内蓋の特定箇所の操作を検知する検知手段を設けたところに特徴を有する。これによれば、内蓋の閉塞を検知でき、内蓋の不完全閉塞での洗濯運転防止などに有効となる。
【００１４】
請求項９の発明は、内蓋を閉塞するときにドラム蓋が先に閉まってから該内蓋が閉まり、内蓋を開けるときにはドラム蓋が開いてから該内蓋が開く構成であるところに特徴を有する。これによれば、内蓋の開放時にドラム蓋の確実な開放を保障でき、且つ、内蓋の閉塞時にドラム蓋の確実な閉塞を保障できる。
【００１５】
請求項１０の発明は、外箱内に配設された水槽と、
この水槽内にほぼ水平方向に指向する軸を中心に回転可能に配設されたドラムと、
このドラムの胴部に、当該胴部に形成された開口部を開閉するように設けられたドラム蓋と、
前記水槽の上部に、当該水槽に形成された開口部を開閉するように設けられた内蓋と、
この内蓋の閉塞をロックする内蓋ロック手段とを備え、
この内蓋ロック手段がロック状態でないときには該内蓋が開放する構成としたところに特徴を有する。
【００１６】
これによれば、内蓋が非ロック状態でありながら閉まっている形態となることがなく、つまり、内蓋がロックされている状態でのみ閉塞するから、ロックの確実化を図ることができる。
【００１７】
【発明の実施の形態】
以下、本発明の第１の実施例につき図１ないし図８を参照して説明する。まず、図２及び図３において、外箱１は、外箱主体部２と前板３とから構成されている。この外箱１の上部には、トップカバー４が装着されている。このトップカバー４には、洗濯物出入口５を開閉する外蓋たる洗濯蓋６が設けられている。この洗濯蓋６は前蓋部６ａと後蓋部６ａとで二つ折りタイプの構成となっている。トップカバー４の右前部には操作パネル７が設けられている。
【００１８】
外箱１の内部には、ドラム状をなす水槽８がダンパ装置９を介して設けられている。この水槽８には上部からやや前部にかけて開口部８ａが形成されており、この開口部８ａは内蓋１０により開閉されるようになっている。この内蓋１０は蓋外板１１と蓋内板１２とを有して構成されており、図５に示すように、蓋外板１１後端部は水槽８に軸１１ａにより回動可能に軸支されている。
【００１９】
この場合、その軸１１ａにはねじりコイルばね１１ｂが装着されていて、内蓋１０を常時矢印Ａ方向（開放方向）へ回動付勢しており、自由状態では図４に示すように開口部８を開放する状態に保持するようになっている。なお、この内蓋１０の蓋内板１２には２本の突条から成るレール部１２ａ、１２ａが突設されている。また、開口部８の前端部には内蓋ロック手段１３の一部を構成するロック用突片１４（図１及び図３参照）が設けられている。
【００２０】
水槽８の内部にはドラム１５がほぼ水平方向を指向する軸を中心に回転可能に設けられている。このドラム１５は図示しないドラム用モータにより回転駆動されるようになっている。
【００２１】
このドラム１５は、円筒状をなす胴部１５ａと、この胴部１５ａの軸方向両側に配置された側板１５ｂ（一方のみ図４に示す）とから構成されており、胴部１５ａには図示しないが多数の脱水孔が形成されている。
【００２２】
また、胴部１５ａの一箇所には、洗濯物出し入れ用の開口部１５ｃが形成されている。そして、このドラム１５の胴部１５ａには、上記開口部１５ｃを開閉するためのドラム蓋１６が設けられている。このドラム蓋１６は蓋主板１６ａと補助板１６ｂとを有して構成されている。蓋主板１６ａは図３における回動支点１７を中心に回動し得るように設けられ、補助板１６ｂは回動支点１８を中心に回動し得るように設けられている。そして、この蓋主板１６ａと補助板１６ｂとは、図示しない連動機構により、連動するように構成されていて、図４の状態（ドラム蓋１６開放状態）から、蓋主板１６ａが閉じられると、補助板１６ｂが先に図３の閉鎖位置方向に回動し、その後から蓋主板１６ａが補助板１６ｂ先端に上側から重なるように閉塞位置に回動するように連動する。また蓋主板１６ａが開放されるときには補助板１６ｂが若干後から開放するように連動する。
【００２３】
そして、蓋主板１６ａは図示しないが矢印Ｂ方向（開放方向）へ回動付勢されており、自由状態では、図４に示す開放位置まで回動する構成となっている。従って補助板１６ｂも図４に示す開放位置まで開放するものである。
【００２４】
上記ドラム蓋１６には、図１に示すようにドラム蓋ロック手段１９が設けられている。このドラム蓋ロック手段１９は、蓋主板１６ａに形成された被ロック部たるスリット状のロック孔２０、２０（図４にも図示）と、補助板１６ｂに形成されたロック部たるロック片２１、２１とから構成されている。ロック片２１、２１は断面鉤状をなし先端は円弧状をなしている。なお、上記ロック孔２０、２０部分は外側から樹脂製のカバー部材２２により覆われている。また、ロック孔２０、２０縁部は補強板２３が取り付けられている。また、補助板１６ｂにはロック解除受け部２４が取り付けられている。このロック解除受け部２４はこれを押圧することで補助板１６ｂ側に倒れ変形し、もって蓋主板１６ａと補助板１６ｂが押されることで互いに近接する動き、つまり蓋主板１６ａのロック孔２０、２０と補助板１６ｂのロック片２１、２１との係合解除動作を許容できるようになっている。これに反してロック解除受け部２４以外の部分の補助板１６ｂや蓋主板１６ａを押した場合、蓋主板１６ａの先端がロック解除受け部２４の前面に当接してしまい、蓋主板１６ａと補助板１６ｂの係合解除動作ができないようになっている。これはドラム蓋１６の開放を、内蓋１０に設けられ後述する特定箇所の操作により動作するロッド３５での操作を必須とするための構成である。
【００２５】
図１には、ロック片２１にロック孔２０が係合してドラム蓋１６が閉塞状態にロックされた状態を示している。そして、内蓋１０は内蓋ロック手段１３により閉塞状態にロックされた状態である。
【００２６】
内蓋１０には前記内蓋ロック手段１３及びドラム蓋ロック手段１９をロック動作及びロック解除させるためのロック制御機構部たる機構部２５が設けられている。以下、この機構部２５について説明する。操作部材２６は、基端部材２７と操作部２８とを軸２９により連結した構成であり、操作部２８は突片２８ａにより基端部材２７と係合するようになっている。この操作部材２６は矢印Ｄ方向（内蓋開放方向）には軸３０を中心として回動し（突片２８ａの係合により基端部材２７と操作部２８とが一体回動し、図６参照）、矢印Ｅ方向（内蓋閉塞方向）には軸２９を中心として操作部２８のみが矢印Ｅ方向（反矢印Ｄ方向）へ回動する（図８参照）ようになっている。そして操作部２８は軸２９部分に設けた図示しないコイルばねにより常に矢印Ｆ方向に回動付勢されていて、これにより自由状態では図１に示す状態となっている。
【００２７】
上記操作部材２６は、内蓋１０を閉塞するときに操作される該内蓋１０の特定箇所たるものである。この操作部材２６における操作部２８の裏面側には、複数例えば左右に２つの押し部材３１がガイド部３２により矢印Ｇ方向へ移動可能に設けられている。この押し部材３１の下端部に押し当て部３１ａが形成され、上端部にばね受け部３１ｂ及び被操作部３１ｃが形成されている。上記押し当て部３１ａは前記カバー部材２２に対向している。そして、この押し部材３１はばね３３により常時反矢印Ｇ方向へ移動付勢されており、内蓋１０が閉塞された状態では、図１の位置にある。
【００２８】
操作部材２６の基端部材２７の下方部にはレバー３４が軸３４ａにより回動可能に軸支されており、図示しないばねにより常時矢印Ｈ方向へ回動付勢されている。このレバー３４には長溝３４ｂが形成されていて、この長溝３４ｂに基端部材２７に形成された凸部２７ａが摺動可能に嵌合されている。また、このレバー３４には長孔３４ｃが形成されていて、この長孔３４ｃにはドラム蓋ロック解除用のロッド３５の凸部３５ａが摺動可能に嵌合されている。
【００２９】
このロッド３５はガイド部３６により反矢印Ｉ方向へ移動可能に支持されており、このロッド３５の下端部の押し当て部３５ｂは前記ロック解除受け部２４に対向している。
【００３０】
ロッド３５の前方にはロック解除体３７、ロック体３８がそれぞれ軸３７ａ、３８ａを介して回動可能に設けられており、それぞれ、図示しないばねにより矢印Ｊ、矢印Ｋ方向へ回動付勢されている。
【００３１】
内蓋ロック手段１３は、前記ロック用突片１４、このロック体３８及びロック解除体３７とにより構成されている。ロック体３８にはロック溝３８ｂが形成されていて、図１の状態では、前記ロック用突片１４と係合している。この図１の状態ではロック解除体３７がロック体３８に係合していて矢印Ｋ方向の回動を阻止しており、この結果、内蓋１０の開放（矢印Ａ方向）が阻止されている。つまり閉塞状態にロックされている。
【００３２】
また、レバー３９は軸３９ａにより軸支されており、これは図示しないばねにより常時矢印Ｌ方向へ回動付勢されている。このレバー３９は、一端部３９ｂが前記押し部材３１の受け部３１ｂにより押されると他端部３９ｃが反矢印Ｌ方向へ回動されるようになっている。このレバー３９は、図６に示すようにロック解除体３７と係合して、ロック体３８に対するロック解除体３７のロック解除状態を保持するようになっている。
【００３３】
なお、前記ドラム蓋１６は回転停止時にその開口部１５ｃが前記水槽８の開口部８ａに合致するように位置決めされるようになっている。
【００３４】
さて、上記構成の作用について説明する。図１にはドラム蓋１６が閉塞され、且つ、ドラム蓋ロック手段１９によりロックされ、内蓋１０が閉塞され、且つ、内蓋ロック手段１３によりロックされた状態が示されている。
【００３５】
この状態から内蓋１０を開ける場合、操作部材２６の操作部２８を矢印Ｄ方向に操作する。すると操作部材２６の基端部材２７の凸部２７ａが矢印Ｍで示すように回動することから、図６に示すように、レバー３４が反矢印Ｈ方向へ回動されてロッド３５が反矢印Ｉ方向へ移動する。これによりロック解除受け部２４が押圧されて補助板１６ｂのロック片２１がロック孔２０から外れて、ドラム蓋１６の閉塞状態のロックが解除される。この解除後はドラム蓋１６の蓋主板１６ａは図示しないばねにより図３矢印Ｂ方向へ回動する。
【００３６】
また、レバー３４の反矢印Ｈ方向への回動によりロック解除体３７が反矢印Ｊ方向へ回動されてロック体３８が反矢印Ｋ方向への回動が許容される。このとき、ロック解除体３７にレバー３９が係合して該ロック解除体３７がその位置に固定される。
【００３７】
この図６の状態においては、内蓋１０に図示しないばねにより矢印Ａ方向の回動付勢力が与えられているから、矢印Ａ方向へ開放する。この場合ドラム蓋１６も開放方向にばねにより付勢されているから開放する。このとき、ドラム蓋１６が内蓋１０内面に摺動しようとするが、ドラム蓋１６のカバー部材２２がレール部１２ａを摺動する。この開放途中（閉塞途中状態でもある）の状態を図７に示している。また、この開放最終状態が図４に示されている。
【００３８】
この図４の状態から、内蓋１０を閉塞する場合、該内蓋１０を印反矢印Ａ´（反矢印Ａ）方向へ操作する。閉塞操作途中の図７の状態から、操作部材２６の操作部２８を矢印Ｅ方向へ回動操作しつつ、図８に示すように、内蓋１０を閉塞操作する。すると、押し部材３１が矢印Ｇ方向へ移動してドラム蓋１６方向へ突出して、該ドラム蓋１６のカバー部材２２を押圧し、ドラム蓋１６の蓋主板１６ａが補助板１６ｂに押し付けられる。この時、蓋主板１６ａの先端は、一旦、補助板１６ｂのロック解除受け部２４上に乗った状態となり、更に押されることで蓋主板１６ａの先端はロック解除受け部２４前方に落ち込む。よって、この時に図８の状態に至り、これにて、ロック孔２０がロック片２１に嵌合し、すなわち、ドラム蓋ロック手段１９がドラム蓋１６を閉塞状態にロックする。
【００３９】
この場合押し部材３１の移動により受け部３１ｂがレバー３９の一端部３９ｂを押し下げることで該レバー３９の他端部３９ｃが反矢印Ｌ方向へ回動してロック解除体３７との係合が解除される。これにて、ロック解除体３７が矢印Ｊ方向へ動き得る状態となる。
【００４０】
そして内蓋１０を押し下げると（閉塞すると）、ロック体３８がロック用突片１４に遭遇して反矢印Ｋ方向に回動しつつこれと係合する。そして、図１で示す位置となると、ロック体３８の係合部３８ｃが解除体３７の下端部と遭遇して係合する。これによって内蓋１０の閉塞状態がロックされる。
【００４１】
このような本実施例によれば、操作部材２６を矢印Ｅ方向へ押しながら内蓋１０を反矢印Ａ方向へ押す操作、つまり、内蓋１０を閉める操作を行なえば、ドラム蓋１６と内蓋１０との双方を閉めることができて、蓋閉塞動作が一回で済むと共に、ドラム蓋１６を閉め忘れたまま内蓋１０を閉めてしまうことがない。
【００４２】
また本実施例によれば、内蓋１０とドラム蓋１６とにおいて摺動する部分の一方の摺動面（本実施例では内蓋１０の蓋内板１２）にレール部１２ａを設けたから、両者は線接触状態となり、ドラム蓋１６と内蓋１０との摺動面が傷つくことがないと共に、ドラム蓋１６と内蓋１０との摺動抵抗を小さくできる。なお、レール部はドラム蓋１６側に設けても良い。
【００４３】
さらに、内蓋１０を閉塞するときに該内蓋１０の特定箇所である操作部材２６を操作（矢印Ｅ方向操作）することによりドラム蓋１６が閉塞される構成であるから、ドラム蓋１６の閉塞を内蓋１０側で行なうことができるとともに、操作部材２６の操作によってのみ内蓋１０を閉塞できる構成であるから、内蓋１０を閉操作するのみで、ドラム蓋１６の閉塞をも意識することなく確実に行なうことができる。
【００４４】
また、操作部材２６に対して異なる操作（矢印Ｄ方向操作）をすることによりドラム蓋１６が開放される構成としたから、操作部材２６をドラム蓋１６の閉塞と開放との共通の操作部として使用できる。
【００４５】
さらに、押し部材３１を間隔を置いて複数設け、ドラム蓋１６を閉塞するときに複数の押し部材３１で複数箇所を押して閉塞させるから、閉塞力が一箇所に集中することがなく、確実に閉塞できる。特に図４に押し部材３１の押し当て部３１ａを示したように、ドラム蓋１６に対して左右に略対称に配置したことから、ドラム蓋１６をこじることなくスムーズに閉塞することができるものである。
【００４６】
また、ドラム蓋１６の閉塞をロックするドラム蓋ロック手段１９を設け、操作部材２６の操作によりドラム蓋１６がロックされる構成としたから、内蓋１０側での操作によりドラム蓋１６のロックができる。
【００４７】
また、本実施例によれば、内蓋１０を閉塞するときにドラム蓋１６が先に閉まってから該内蓋１０が閉まり、内蓋１０を開けるときにはドラム蓋１６が開いてから該内蓋１０が開く構成であるから、内蓋１０の開放時にドラム蓋１６の確実な開放を保障でき、且つ、内蓋１０の閉塞時にドラム蓋１６の確実な閉塞を保障できる。
【００４８】
また、本実施例によれば、内蓋１０の軸支部分にねじりコイルばね１１ｂを設けて、内蓋ロック手段１３がロック状態でないときには該内蓋１０がそのばね力により開放する構成としている。これによれば、内蓋１０が非ロック状態でありながら閉まっている形態となることがなく、つまり、内蓋１０がロックされている状態でのみ閉塞するから、ロックの確実化を図ることができる。
【００４９】
図９は本発明の第２の実施例を示しており、この実施例においては、検知手段たるマイクロスイッチ４１を設けた点が第１の実施例と異なる。このマイクロスイッチ４１は押し部材３１が押し下げられたことを検知すべく設けられており、矢印Ｐ方向へ変位可能なアクチュエータ４１ａを備えている。そして、押し部材３１の受け部下部には、マイクロスイッチ４１のアクチュエータ４１ａを変位させるための斜面４２ａを有する押圧体４２が設けられている。
【００５０】
この構成においては、押し部材３１が押し下げられることを検知することで操作部材２６（内蓋１０の特定箇所）の操作が検知される。この実施例によれば、内蓋１０の閉塞を検知でき、内蓋１０の不完全閉塞での洗濯運転防止などに有効となる。
【００５１】
なお、本発明は上記実施例に限定されるものでなく、例えば押し部材３１は３個以上でも良いし、ロッド３５の個数も複数でも良い。また、内蓋ロック手段１３のロック体３８はスライドによりロック用突片１４と嵌合する構成でも良い。また、内蓋ロック手段及びドラム蓋ロック手段の構造については適宜変更して実施できるものである。
【００５２】
【発明の効果】
本発明は以上の説明から明らかなように、内蓋を閉める操作をするときにドラム蓋と該内蓋との双方を閉めることができるという優れた効果を奏する。
【図面の簡単な説明】
【図１】本発明の第１の実施例に係り、ドラム蓋及び内蓋が閉塞状態にある要部の縦断側面図
【図２】ドラム式洗濯機の斜視図
【図３】一部破断のドラム式洗濯機の縦断側面図
【図４】外箱を省略して示す内蓋及びドラム蓋開放状態の斜視図
【図５】内蓋軸支部分の側面図
【図６】ドラム蓋及び内蓋開放操作状態での図１相当図
【図７】開放途中（閉塞途中）の図１相当図
【図８】ドラム蓋及び内蓋閉塞操作状態での図１相当図
【図９】本発明の第２の実施例を示す図１相当図
【符号の説明】
８は水槽、８ａは開口部、１０は内蓋、１２ａはレール部、１３は内蓋ロック手段、１５はドラム、１５ｃは開口部、１６はドラム蓋、１６ａは蓋主板、１６ｂは補助板、１９はドラム蓋ロック手段、２０はロック孔、２１はロック片、２２はカバー部材、２４はロック解除受け部、２５は機構部、２６は操作部材（特定箇所）、２７は基端部材、２８は操作部、３１は押し部材、３４はレバー、３５はロッド、３７はロック解除体、３８はロック体、３９はレバー、４１はマイクロスイッチ（検知手段）を示す。
【図１】
2004329537.tif 000003
【図２】
2004329537.tif 000004
【図３】
2004329537.tif 000005
【図４】
2004329537.tif 000006
【図５】
2004329537.tif 000007
【図６】
2004329537.tif 000008
【図７】
2004329537.tif 000009
【図８】
2004329537.tif 000010
【図９】
2004329537.tif 000011